(57)【要約】  ワイヤレス通信のための方法および装置は、共通探索のための（１つまたは複数の）仮想セルＩＤを管理する。ＵＥが、共通探索空間（ＣＳＳ）拡張物理ダウンリンク制御チャネル（ＥＰＤＣＣＨ）のための第１の仮想セルＩＤを判断し、ユーザ機器探索空間（ＵＥＳＳ）ＥＰＤＣＣＨのための第２の仮想セルＩＤを判断する。ＵＥは、判断された第１および第２の仮想セルＩＤに基づいてＥＰＤＣＣＨを処理する。
2015512586.tif 000002
【特許請求の範囲】
【請求項１】
共通探索空間（ＣＳＳ）拡張物理ダウンリンク制御チャネル（ＥＰＤＣＣＨ）のための第１の仮想セルＩＤを判断することと、
ユーザ機器探索空間（ＵＥＳＳ）ＥＰＤＣＣＨのための第２の仮想セルＩＤを判断することと、
前記判断された第１および第２の仮想セルＩＤに基づいてＥＰＤＣＣＨを処理することと
を備える、ワイヤレス通信の方法。
【請求項２】
前記第１の仮想セルＩＤが物理セルＩＤ（ＰＣＩ）と同じである、請求項１に記載の方法。
【請求項３】
前記第１の仮想セルＩＤを静的に更新することと、前記第２の仮想セルＩＤを動的に更新することとをさらに備える、請求項１に記載の方法。
【請求項４】
前記ＣＳＳ  ＥＰＤＣＣＨのための複数の異なる仮想セルＩＤを判断することであって、前記複数の異なる仮想セルＩＤのうちの第１の仮想セルＩＤが第１のタイプの無線ネットワーク一時識別子（ＲＮＴＩ）に対応し、前記複数の異なる仮想セルＩＤのうちの第２の仮想セルＩＤが前記第１のタイプとは異なる第２のタイプのＲＮＴＩに対応する、判断することをさらに備える、請求項１に記載の方法。
【請求項５】
前記第１のタイプのＲＮＴＩが、システム情報（ＳＩ）−ＲＮＴＩ、ページングＲＮＴＩ、またはランダムアクセスＲＮＴＩのうちの少なくとも１つを備え、前記第２のタイプのＲＮＴＩが、送信電力制御（ＴＰＣ）物理アップリンク共有データチャネル（ＰＵＳＣＨ）ＲＮＴＩまたはＴＰＣ物理アップリンク制御チャネル（ＰＵＣＣＨ）ＲＮＴＩのうちの少なくとも１つを備える、請求項４に記載の方法。
【請求項６】
前記判断された第１の仮想セルＩＤをブロードキャストすることをさらに備える、請求項１に記載の方法。
【請求項７】
前記ＣＳＳ  ＥＰＤＣＣＨまたは前記ＵＥＳＳ  ＥＰＤＣＣＨのうちの少なくとも１つにおいてマルチメディアブロードキャストマルチキャストサービス（ＭＢＭＳ）無線ネットワーク一時識別子（ＲＮＴＩ）をサポートすることをさらに備える、請求項１に記載の方法。
【請求項８】
前記ＣＳＳ  ＥＰＤＣＣＨに、より高い優先度を割り当てることをさらに備える、請求項１に記載の方法。
【請求項９】
前記ＵＥＳＳ  ＥＰＤＣＣＨに、より高い優先度を割り当てることをさらに備える、請求項１に記載の方法。
【請求項１０】
所定のパラメータに基づいて前記ＣＳＳ  ＥＰＤＣＣＨおよび前記ＵＥＳＳ  ＥＰＤＣＣＨに優先度を付けることをさらに備える、請求項１に記載の方法。
【請求項１１】
他の信号に割り当てられた少なくとも１つのリソース要素（ＲＥ）を判断することと、
前記ＣＳＳ  ＥＰＤＣＣＨを前記少なくとも１つのリソース要素にマッピングすることと、
前記マッピングされた少なくとも１つのリソース要素の周りの前記ＵＥＳＳ  ＥＰＤＣＣＨをレートマッチングすることであって、前記ＣＳＳ  ＥＰＤＣＣＨが、前記ＵＥＳＳ  ＥＰＤＣＣＨのレートマッチングパラメータとは異なるレートマッチングパラメータを有する、レートマッチングすることと
をさらに備える、請求項１に記載の方法。
【請求項１２】
メモリと、
前記メモリに結合された少なくとも１つのプロセッサであって、
共通探索空間（ＣＳＳ）拡張物理ダウンリンク制御チャネル（ＥＰＤＣＣＨ）のための第１の仮想セルＩＤを判断することと、
ユーザ機器探索空間（ＵＥＳＳ）ＥＰＤＣＣＨのための第２の仮想セルＩＤを判断することと、
前記判断された第１および第２の仮想セルＩＤに基づいてＥＰＤＣＣＨを処理することと
を行うように構成された少なくとも１つのプロセッサと
を備える、ワイヤレス通信のための装置。
【請求項１３】
前記第１の仮想セルＩＤが物理セルＩＤ（ＰＣＩ）と同じである、請求項１２に記載の装置。
【請求項１４】
前記少なくとも１つのプロセッサが、前記第１の仮想セルＩＤを静的に更新することと、前記第２の仮想セルＩＤを動的に更新することとを行うようにさらに構成された、請求項１２に記載の装置。
【請求項１５】
前記少なくとも１つのプロセッサが、前記ＣＳＳ  ＥＰＤＣＣＨのための複数の異なる仮想セルＩＤを判断することであって、前記複数の異なる仮想セルＩＤのうちの第１の仮想セルＩＤが第１のタイプの無線ネットワーク一時識別子（ＲＮＴＩ）に対応し、前記複数の異なる仮想セルＩＤのうちの第２の仮想セルＩＤが前記第１のタイプとは異なる第２のタイプのＲＮＴＩに対応する、判断することを行うようにさらに構成された、請求項１２に記載の装置。
【請求項１６】
前記第１のタイプのＲＮＴＩが、システム情報（ＳＩ）−ＲＮＴＩ、ページングＲＮＴＩ、またはランダムアクセスＲＮＴＩのうちの少なくとも１つを備え、前記第２のタイプのＲＮＴＩが、送信電力制御（ＴＰＣ）物理アップリンク共有データチャネル（ＰＵＳＣＨ）ＲＮＴＩまたはＴＰＣ物理アップリンク制御チャネル（ＰＵＣＣＨ）ＲＮＴＩのうちの少なくとも１つを備える、請求項１５に記載の装置。
【請求項１７】
前記少なくとも１つのプロセッサが、前記判断された第１の仮想セルＩＤをブロードキャストするようにさらに構成された、請求項１２に記載の装置。
【請求項１８】
前記少なくとも１つのプロセッサが、前記ＣＳＳ  ＥＰＤＣＣＨまたは前記ＵＥＳＳ  ＥＰＤＣＣＨのうちの少なくとも１つにおいてマルチメディアブロードキャストおよびマルチキャストサービス（ＭＢＭＳ）無線ネットワーク一時識別子（ＲＮＴＩ）をサポートするようにさらに構成された、請求項１２に記載の装置。
【請求項１９】
前記少なくとも１つのプロセッサが、前記ＣＳＳ  ＥＰＤＣＣＨに、より高い優先度を割り当てるようにさらに構成された、請求項１２に記載の装置。
【請求項２０】
前記少なくとも１つのプロセッサが、前記ＵＥＳＳ  ＥＰＤＣＣＨに、より高い優先度を割り当てるようにさらに構成された、請求項１２に記載の装置。
【請求項２１】
前記少なくとも１つのプロセッサが、所定のパラメータに基づいて前記ＣＳＳ  ＥＰＤＣＣＨおよび前記ＵＥＳＳ  ＥＰＤＣＣＨに優先度を付けるようにさらに構成された、請求項１２に記載の装置。
【請求項２２】
前記少なくとも１つのプロセッサが、
他の信号に割り当てられた少なくとも１つのリソース要素（ＲＥ）を判断することと、
前記ＣＳＳ  ＥＰＤＣＣＨを前記少なくとも１つのリソース要素にマッピングすることと、
前記マッピングされた少なくとも１つのリソース要素の周りの前記ＵＥＳＳ  ＥＰＤＣＣＨをレートマッチングすることであって、前記ＣＳＳ  ＥＰＤＣＣＨが、前記ＵＥＳＳ  ＥＰＤＣＣＨのレートマッチングパラメータとは異なるレートマッチングパラメータを有する、レートマッチングすることと
を行うようにさらに構成された、請求項１２に記載の装置。
【請求項２３】
ワイヤレスネットワークにおけるワイヤレス通信のためのコンピュータプログラム製品であって、
非一時的プログラムコードを記録した非一時的コンピュータ可読媒体を備え、前記プログラムコードが、
共通探索空間（ＣＳＳ）拡張物理ダウンリンク制御チャネル（ＥＰＤＣＣＨ）のための第１の仮想セルＩＤを判断するためのプログラムコードと、
ユーザ機器探索空間（ＵＥＳＳ）ＥＰＤＣＣＨのための第２の仮想セルＩＤを判断するためのプログラムコードと、
前記判断された第１および第２の仮想セルＩＤに基づいてＥＰＤＣＣＨを処理するためのプログラムコードと
を備える、非一時的コンピュータ可読媒体
を備える、コンピュータプログラム製品。
【請求項２４】
共通探索空間（ＣＳＳ）拡張物理ダウンリンク制御チャネル（ＥＰＤＣＣＨ）のための第１の仮想セルＩＤを判断するための手段と、
ユーザ機器探索空間（ＵＥＳＳ）ＥＰＤＣＣＨのための第２の仮想セルＩＤを判断するための手段と、
前記判断された第１および第２の仮想セルＩＤに基づいてＥＰＤＣＣＨを処理するための手段と
を備える、ワイヤレス通信のための装置。
【発明の詳細な説明】
【技術分野】
【０００１】
関連出願の相互参照
[0001]  本出願は、その開示全体が参照により本明細書に明確に組み込まれる、２０１２年３月２６日に出願された「ON COMMON SEARCH SPACE FOR EPDCCH IN LTE」と題する米国仮特許出願第６１／６１５，８０３号の米国特許法第１１９条（ｅ）項に基づく利益を主張する。
【０００２】
[0002]  本開示の態様は、一般にワイヤレス通信システムに関し、より詳細には、拡張物理ダウンリンク制御チャネル（ＥＰＤＣＣＨ：enhanced physical downlink control channel）などの制御チャネルのための共通探索空間（common search space）に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0001]  一態様では、ワイヤレス通信の方法が開示される。本方法は、共通探索空間（ＣＳＳ）拡張物理ダウンリンク制御チャネル（ＥＰＤＣＣＨ）のための第１の仮想セルＩＤを判断することと、ユーザ機器探索空間（ＵＥＳＳ：user equipment search space）ＥＰＤＣＣＨのための第２の仮想セルＩＤを判断することとを含む。ＥＰＤＣＣＨは、判断された第１および第２の仮想セルＩＤに基づいて処理される。
【０００６】
[0002]  別の態様は、メモリと、メモリに結合された少なくとも１つのプロセッサとを有するワイヤレス通信を開示する。（１つまたは複数の）プロセッサは、共通探索空間（ＣＳＳ）拡張物理ダウンリンク制御チャネル（ＥＰＤＣＣＨ）のための第１の仮想セルＩＤを判断することと、ユーザ機器探索空間（ＵＥＳＳ）ＥＰＤＣＣＨのための第２の仮想セルＩＤを判断することとを行うように構成される。（１つまたは複数の）プロセッサはまた、判断された第１および第２の仮想セルＩＤに基づいてＥＰＤＣＣＨを処理するように構成される。
【０００７】
[0003]  別の態様では、非一時的コンピュータ可読媒体を有するワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、共通探索空間（ＣＳＳ）拡張物理ダウンリンク制御チャネル（ＥＰＤＣＣＨ）のための第１の仮想セルＩＤを判断する動作と、ユーザ機器探索空間（ＵＥＳＳ）ＥＰＤＣＣＨのための第２の仮想セルＩＤを判断する動作とを行わせる、非一時的プログラムコードを記録している。プログラムコードはまた、（１つまたは複数の）プロセッサに、判断された第１および第２の仮想セルＩＤに基づいてＥＰＤＣＣＨを処理させる。
【０００８】
[0004]  別の態様は、共通探索空間（ＣＳＳ）拡張物理ダウンリンク制御チャネル（ＥＰＤＣＣＨ）のための第１の仮想セルＩＤを判断するための手段と、ユーザ機器探索空間（ＵＥＳＳ）ＥＰＤＣＣＨのための第２の仮想セルＩＤを判断するための手段とを含む装置を開示する。ＥＰＤＣＣＨは、判断された第１および第２の仮想セルＩＤに基づいて処理される。
【０００９】
[0005]  ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１０】
[0005]  本開示の特徴、特性、および利点は、全体を通じて同様の参照符号が同様のものを指す図面とともに、以下に記載する発明を実施するための形態を読めばより明らかになろう。
【図面の簡単な説明】
【００１１】
【図１】[0006]  ネットワークアーキテクチャの一例を示す図。
【図２】[0007]  アクセスネットワークの一例を示す図。
【図３】[0008]  ＬＴＥにおけるダウンリンクフレーム構造の一例を示す図。
【図４】[0009]  ＬＴＥにおけるアップリンクフレーム構造の一例を示す図。
【図５】[0010]  ユーザプレーンおよび制御プレーンのための無線プロトコルアーキテクチャの一例を示す図。
【図６】[0011]  アクセスネットワーク中の発展型ノードＢおよびユーザ機器の一例を示す図。
【図７】[0012]  マルチメディアブロードキャストオーバー単一周波数ネットワーク中の発展型マルチキャストブロードキャストマルチメディアサービスを示す図。
【図８】[0013]  様々なＥＰＤＣＣＨ構造を示す図。
【図９】[0014]  ＥＰＤＣＣＨのための共通探索空間を管理するための方法を示すブロック図。
【図１０】[0015]  例示的な装置中の異なるモジュール／手段／構成要素間のデータフローを示す概念データフロー図。
【発明を実施するための形態】
【００１２】
[0016]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１３】
[0017]  様々な装置および方法に関して電気通信システムの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課された設計制約に依存する。
【００１４】
[0018]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１５】
[0019]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１６】
[0020]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１７】
[0021]  Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、Ｘ２インターフェース（たとえば、バックホール）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１８】
[0022]  ｅノードＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１９】
[0023]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）と呼ばれることがある。より低い電力クラスのｅノードＢ２０８は、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２０】
[0024]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２１】
[0025]  ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２２】
[0026]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２３】
[0027]  以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２４】
[0028]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、セル固有ＲＳ（ＣＲＳ：Cell-specific RS）（共通ＲＳと呼ばれることもある）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２５】
[0029]  図４は、ＬＴＥにおけるアップリンクフレーム構造の一例を示す図４００である。アップリンクのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００２６】
[0030]  ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００２７】
[0031]  初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２８】
[0032]  図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００２９】
[0033]  ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３０】
[0034]  ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３１】
[0035]  制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３２】
[0036]  図６は、アクセスネットワーク中でＵＥ６５０と通信しているｅノードＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３３】
[0037]  ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００３４】
[0038]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、最も適した信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータと制御信号とを復元するために復号され、デインターリーブされる。データおよび制御信号は、次いでコントローラ／プロセッサ６５９に与えられる。
【００３５】
[0039]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３６】
[0040]  アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるＤＬ送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００３７】
[0041]  ｅノードＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３８】
[0042]  アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３９】
[0043]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４０】
[0044]  図７は、マルチメディアブロードキャストオーバー単一周波数ネットワーク（ＭＢＳＦＮ：Multi-Media Broadcast over a Single Frequency Network）中の発展型マルチメディアブロードキャストマルチキャストサービス（ＭＢＭＳ：Multimedia Broadcast Multicast Service）を示す図７５０である。セル７５２’中のｅノードＢ７５２は第１のＭＢＳＦＮエリアを形成し得、セル７５４’中のｅノードＢ７５４は第２のＭＢＳＦＮエリアを形成し得る。各ＭＢＳＦＮエリアは、同じｅＭＢＭＳ制御情報およびデータを同期的に送信する。各エリアは、ブロードキャストサービスと、マルチキャストサービスと、ユニキャストサービスとをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、物理マルチキャストチャネル（ＰＭＣＨ：physical multicast channel）のグループ（たとえば、１５個のＰＭＣＨ）をサポートする。各ＰＭＣＨはマルチキャストチャネル（ＭＣＨ）に対応する。各ＭＣＨは、マルチキャスト論理チャネルのグループ（たとえば、２９個）を多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨとマルチキャストトラフィックチャネル（ＭＴＣＨ：multicast traffic channel）のグループとを多重化し得、残りのＭＣＨはＭＴＣＨのグループを多重化し得る。
【００４１】
[0045]  図７に示すように、予約済みセル７８０は、セル７５４’によって形成される第２のＭＢＳＦＮエリア内にある。予約済みセル７８０は、マルチキャスト／ブロードキャストコンテンツを与えないが、セル７５４’に時間同期され、第２のＭＢＳＦＮエリア内のＵＥへの干渉を制限するために、ＭＢＳＦＮリソース上で制限された電力を有する。
【００４２】
[0046]  ＬＴＥリリース８／９／１０では、物理ダウンリンク制御チャネル（ＰＤＣＣＨ：physical downlink control channel）は、サブフレーム中の最初のいくつかのシンボル（たとえば、１つ、２つ、３つまたは４つ）内に位置し、システム帯域幅全体にわたって完全に分散される。さらに、ＰＤＣＣＨは物理ダウンリンク共有チャネルＰＤＳＣＨと時間領域多重化（ＴＤＭ：time domain multiplex）され、それにより、サブフレームを制御領域とデータ領域とに効果的に分割する。
【００４３】
[0047]  ＬＴＥリリース１１では、拡張ＰＤＣＣＨ（ＥＰＤＣＣＨ）などの拡張制御チャネルが導入される。サブフレーム中の最初のいくつかの制御シンボルを占有する従来の制御チャネルとは対照的に、拡張制御チャネルは、共有チャネル（ＰＤＳＣＨ）と同様にデータ領域を占有し得る。拡張制御チャネルは、制御チャネル容量を増加させ、周波数領域セル間干渉協調（ＩＣＩＣ：inter-cell interference coordination）をサポートし、制御チャネルリソースの空間再利用を改善し、ビームフォーミングおよび／またはダイバーシティをサポートし、新しいキャリアタイプ上で、およびマルチメディアブロードキャストオーバー単一周波数ネットワーク（ＭＢＳＦＮ）サブフレームにおいて動作し、従来のユーザ機器（ＵＥ）と同じキャリア上に共存し得る。
【００４４】
[0048]  ＬＴＥリリース８／９／１０では、各ＵＥはＰＤＣＣＨ復号候補のセットを監視する。概して、共通（探索空間）およびＵＥ固有（探索空間）という２つのセットがある。共通探索空間（ＣＳＳ）は、アグリゲーションレベル４のための４つの候補、およびアグリゲーションレベル８のための２つの候補など、最高６つの復号候補を含む。アグリゲーションレベルＮは、Ｎ個の制御チャネル要素（ＣＣＥ：control channel element）として定義される。各ＣＣＥは３６個のリソース要素（ＲＥ）を有する。共通探索空間は、すべてのＵＥに共通であり、ブロードキャスト（たとえば、システム、ページング、ランダムアクセスチャネル（ＲＡＣＨ：random access channel）応答など）のために主に使用される。共通探索空間はまた、ユニキャストスケジューリングのために使用され得る。各復号候補について、最高２つの異なるダウンリンク制御情報（ＤＣＩ）フォーマットサイズがある。したがって、最高６×２＝１２回のブラインド復号が行われる。
【００４５】
[0049]  ＵＥ固有探索空間（ＵＥＳＳ）は、ＵＥ  ＩＤ（および他のパラメータ、たとえば、サブフレームインデックス）の関数である復号候補を含む。ＵＥＳＳは、最高１６個の復号候補、すなわち、それぞれ、アグリゲーションレベル｛１，２，４，８｝のための｛６，６，２，２｝個の復号候補を含む。ダウンリンク割当てとアップリンク許可は復号候補の同じセットを共有する。各復号候補について、最高２つ（Ｒｅｌ−８／９）または３つ（Ｒｅｌ−１０）の異なるＤＣＩフォーマットサイズがあり得る。特に、１つのフォーマットサイズはダウンリンクおよびアップリンクコンパクトＤＣＩフォーマット用であり、１つのフォーマットサイズはダウンリンクモード依存フォーマット（たとえば、ＭＩＭＯ）用であり、１つのフォーマットサイズは（Ｒｅｌ−１０のみにおける）アップリンクＭＩＭＯ動作用である。ＵＥＳＳでは、最高１６×２＝３２回（Ｒｅｌ−８／９）または１６×３＝４８回（Ｒｅｌ−１０）のブラインド復号が行われる。ブラインド復号の最大回数は、キャリアごとのＵＥごとに１２＋３２＝４４回（Ｒｅｌ−８／９）または１２＋４８＝６０回（Ｒｅｌ−１０）である。
【００４６】
[0050]  図８に、様々なＥＰＤＣＣＨ構造の例を示す。たとえば、一態様では、ＥＰＤＣＣＨ構造はＲ−ＰＤＣＣＨ構造と同じであり得る。代替的に、別の態様では、ＥＰＤＣＣＨは純ＦＤＭ（周波数分割多重化）であり得る。場合によっては、代替構造では、ＥＰＤＣＣＨ構造はすべてＴＤＭである。代替的に、ＥＰＤＣＣＨは、Ｒ−ＰＤＣＣＨと類似するが、同じではない。さらに別の代替構造では、ＥＰＤＣＣＨはＴＤＭとＦＤＭとを組み合わせ得る。
【００４７】
[0051]  いくつかの構成では、局所送信と分散送信の両方がＥＰＤＣＣＨのためにサポートされる。局所送信の場合、および共通基準信号（ＣＲＳ：common reference signal）が拡張制御チャネルの復調のために使用されない分散送信の場合、拡張制御チャネルの復調は復調基準信号（ＤＭＲＳ：demodulation reference signal）に基づく。ＤＭＲＳは、拡張制御チャネルの送信のために使用される物理リソースブロック（ＰＲＢ：physical resource block）中で送信される。
【００４８】
[0052]  拡張制御チャネルが周波数分割多重化（ＦＤＭ）に基づくとき、拡張制御チャネルは第１のスロットと第２のスロットの両方にわたる。場合によっては、送信時間間隔（ＴＴＩ：transmission time interval）中で受信可能なトランスポートチャネル（ＴｒＣＨ）ビットの最大数に対する制限があり得る。共有チャネルと拡張制御チャネルとは物理リソースブロック（ＰＲＢ）ペア内で多重化され得ない。
【００４９】
[0053]  ＬＴＥリリース１１は多地点協調送信（ＣｏＭＰ：coordinated multipoint transmission）方式をサポートする。ＣｏＭＰ方式は、複数のｅノードＢからの協調送信（ダウンリンクＣｏＭＰ）または１つまたは複数のＵＥからの協調受信（アップリンクＣｏＭＰ）を指す。ダウンリンクＣｏＭＰとアップリンクＣｏＭＰとは、ＵＥに対して別々にまたは一緒に使用可能にされ得る。ＣｏＭＰ方式のいくつかの例は、複数のｅノードＢがＵＥのための同じデータを送信するジョイント送信（ＪＴ：joint transmission）（ダウンリンクＣｏＭＰ）、および複数のｅノードＢがＵＥから同じデータを受信するジョイント受信（アップリンクＣｏＭＰ）である。ＣｏＭＰ方式はまた、ｅノードＢが、近隣セル中のＵＥへの干渉を低減するために選定されたビームを使用して被サービスＵＥに送信する、協調ビームフォーミング（ＣＢＦ：coordinated beamforming）をサポートし得る。さらに、ＣｏＭＰ方式は、データ送信に関与する（１つまたは複数の）セルがサブフレームごとに変わる、動的ポイント選択（ＤＰＳ：dynamic point(s) selection）をもサポートし得る。
【００５０】
[0054]  ＣｏＭＰは、同種ネットワークおよび／または異種ネットワーク（ＨｅｔＮｅｔ：heterogeneous network）中に存在し得る。ＣｏＭＰに関与するノード間の接続はＸ２またはファイバーであり得る。場合によっては、１つまたは複数の仮想セルＩＤが、改善されたＣｏＭＰ動作のために共有チャネル上のＵＥのために構成され得る。ＨｅｔＮｅｔ  ＣｏＭＰでは、低電力ノードはリモートラジオヘッド（ＲＲＨ）と呼ばれることがある。さらに、サブフレーム中の共有チャネルのために使用されるべき仮想セルＩＤはＵＥに動的に示され得る。
【００５１】
[0055]  旧来、セルから送信されるＰＤＳＣＨは、そのセルの物理セルＩＤ（ＰＣＩ：physical cell ID）に関連付けられる。たとえば、ＰＤＳＣＨのためのスクランブリングシーケンスは、セルのＰＣＩに基づくシードで初期化される。様々なＣｏＭＰシナリオでは、ＰＤＳＣＨは特定のセルＩＤとの関連付けを解除される。たとえば、セル中のＰＤＳＣＨのためのスクランブリングシーケンスは、仮想セルＩＤ（セルＩＤと同じであることも同じでないこともある）に基づくシードで初期化され得る。これは、ＣｏＭＰおよびＭＩＭＯ動作（動的ポイント切替え、分離された制御およびデータ、セル中のマルチユーザ多入力多出力（ＭＵ−ＭＩＭＯ）など）を可能にする。仮想セルＩＤはＥＰＤＣＣＨにも適用され得る。
【００５２】
[0056]  本開示の一態様は、共通探索空間（ＣＳＳ）がＥＰＤＣＣＨのためにサポートされるとき、ＣＳＳ  ＥＰＤＣＣＨのためのおよびＵＥ固有探索空間（ＵＥＳＳ）ＥＰＤＣＣＨのための（１つまたは複数の）仮想セルＩＤを管理することを対象とする。他の態様は、ＭＢＭＳサービスのためのマルチキャスト無線ネットワーク一時識別子（Ｍ−ＲＮＴＩ：multicast radio network temporary identifier）をサポートすることと、ＣＳＳ  ＥＰＤＣＣＨに基づくＣＲＳをサポートすることと、重複探索空間と、ＣＳＳのためのレートマッチングとを対象とする。
【００５３】
[0057]  一態様は、ＣＳＳのための仮想セルＩＤを対象とする。ＣＳＳ  ＥＰＤＣＣＨとＵＥＳＳ  ＥＰＤＣＣＨとは、性能、スケジューリング、ペイロードサイズ、変調コーディング方式（ＭＣＳ：modulation coding scheme）などに関して異なる仕様を有する。異なるセルまたはセルの異なるセットが、ＣＳＳ  ＥＰＤＣＣＨおよびＵＥＳＳ  ＥＰＤＣＣＨをそれぞれ送信することに関与し得る。たとえば、第１のセル（すなわち、セル１）および第２のセル（すなわち、セル２）は両方とも、ＵＥのためのＣＳＳ  ＥＰＤＣＣＨを送信し得るが、セル１のみがそのＵＥのためのＵＥＳＳ  ＥＰＤＣＣＨを送信する。
【００５４】
[0058]  仮想セルＩＤ管理の一態様は、ＣＳＳ  ＥＰＤＣＣＨとＵＥＳＳ  ＥＰＤＣＣＨとを別々に定義することを対象とする。一例では、仮想セルＩＤ１がＣＳＳ  ＥＰＤＣＣＨのために定義され、仮想セルＩＤ２および仮想セルＩＤ３がＵＥＳＳ  ＥＰＤＣＣＨのために定義される。いくつかの仮想セルＩＤは物理セルＩＤと同じであり得る。たとえば、ＣＳＳ  ＥＰＤＣＣＨは実際の物理セルＩＤを使用し得る。さらに、セルＩＤ２およびセルＩＤ３のうちの１つはセルＩＤ１と同じであり得る。さらに、ＣＳＳ  ＥＰＤＣＣＨのための仮想ＩＤとＵＥＳＳ  ＥＰＤＣＣＨのための仮想ＩＤとは別様に更新され得る。たとえば、ＵＥＳＳのための仮想セルＩＤは動的に更新され得るが、ＣＳＳ  ＥＰＤＣＣＨのための仮想セルＩＤは半静的または静的に更新され得る。
【００５５】
[0059]  ＥＰＤＣＣＨのためのＣＳＳは、同じ物理セルＩＤのＣｏＭＰ通信に関与するセルのサブセットから送信され得る（たとえば、シナリオ４）。たとえば、ＤＣＩフォーマット３および／または３Ａ（グループ電力制御）は、物理セルＩＤのセルのセット中のセルまたはセルのサブセットから個々に送信され得る。同様に、ランダムアクセス応答許可は、同じ物理セルＩＤを有するセルのセットのセルのサブセットから送信され得る。
【００５６】
[0060]  別の態様では、ＥＰＤＣＣＨのためのＣＳＳ中の異なる無線ネットワーク一時識別子（ＲＮＴＩ）のために異なる仮想セルＩＤが定義される。たとえば、ページング無線ネットワーク一時識別子（Ｐ−ＲＮＴＩ）、システム情報無線ネットワーク一時識別子（ＳＩ−ＲＮＴＩ）およびランダムアクセス無線ネットワーク一時識別子（ＲＡ−ＲＮＴＩ）は第１の仮想（または物理）セルＩＤ（または仮想セルＩＤの第１のセット）を有し、送信電力制御（ＴＰＣ：transmit power control）ＰＵＣＣＨ  ＲＮＴＩ／ＴＰＣ  ＰＵＳＣＨ  ＲＮＴＩは異なる仮想セルＩＤ（または仮想セルＩＤの第２のセット）を有し得る。これは、ＣＳＳ  ＥＰＤＣＣＨを介してスケジュールされるいくつかの情報が、他の情報と比較して、異なるカバレージエリアおよび／またはＵＥのターゲットグループを有し得るからである。さらに、ＣＳＳのための（１つまたは複数の）仮想セルＩＤは、ブロードキャストされるか、またはＵＥ固有に構成され得る。
【００５７】
[0061]  本開示の別の態様は、キャリアタイプに基づいてＭＢＭＳのためのマルチキャスト無線ネットワーク一時識別子（Ｍ−ＲＮＴＩ）をサポートすることを対象とする。たとえば、（１つまたは複数の）キャリアがレガシーキャリアである（後方互換性がある）とき、ＣＳＳ  ＥＰＤＣＣＨ中のＭ−ＲＮＴＩはサポートされない。（１つまたは複数の）キャリアが新しいキャリアタイプであるとき、特に、レガシー制御領域がないとき、ＣＳＳ  ＥＰＤＣＣＨ中のＭ−ＲＮＴＩはサポートされ得る。
【００５８】
[0062]  別の態様は、探索空間中の基準信号と、それらが復調基準信号（ＤＭＲＳ）に基づくのか共通基準信号（ＣＲＳ）に基づくのかとを対象とする。１つの例示的な構成では、ＤＭＲＳはＣＳＳ  ＥＰＤＣＣＨとＵＥＳＳ  ＥＰＤＣＣＨの両方のために使用される。探索空間依存基準信号（ＲＳ）タイプＥＰＤＣＣＨも考慮され得る。たとえば、一構成では、ＵＥＳＳ  ＥＰＤＣＣＨのためにＤＭＲＳが使用され、ＣＳＳ  ＥＰＤＣＣＨのために共通基準信号（ＣＲＳ）が使用される。それがＣＲＳベースのＣＳＳ  ＥＰＤＣＣＨである場合、ＤＭＲＳリソース要素（ＲＥ）はＣＳＳ  ＥＰＤＣＣＨについてディスカウントされ得る。一態様では、ＤＭＲＳリソース要素はディスカウントされ、物理リソースブロック（ＰＲＢ）ペアごとに２４個のＤＭＲＳ  ＲＥを常にディスカウントするものと定義され得る。代替態様では、ＤＭＲＳリソース要素はディスカウントされない。
【００５９】
[0063]  本開示のさらに別の態様は、重複探索空間を扱うことを対象とする。特に、ＵＥのためのＵＥＳＳ  ＥＰＤＣＣＨとＣＳＳ  ＥＰＤＣＣＨは重複し得る。一構成では、ＵＥは、ＣＳＳにより高い優先度を割り当てることによって重複探索空間を扱う。代替的に、ＵＥは、ＵＥＳＳにより高い優先度を割り当てることによって重複探索空間を扱い得る。場合によっては、ＣＳＳ対ＵＥＳＳの優先度は構成またはパラメータに依存し得る。たとえば、レイヤ３は、ＣＳＳとＵＥＳＳとの間の優先度として構成され得る。別の例では、優先度割当ては、サブフレーム依存、復号候補依存などである。たとえば、いくつかのサブフレームでは、ＣＳＳはより高い優先度を有する。他のサブフレームでは、ＣＳＳは低い優先度を有する。
【００６０】
[0064]  代替方法では、ＥＰＤＣＣＨが重複領域中のＣＳＳからのものであるのかＵＥＳＳからのものであるのかに関するＵＥ側におけるあいまいさを低減するために、異なる物理レイヤ構成が利用される。たとえば、ＣＳＳ  ＥＰＤＣＣＨによって使用されるリソース要素の数は、ＵＥＳＳ  ＥＰＤＣＣＨのために使用される数とは異なり得る。さらに、変調シンボルがリソースにマッピングされる方法は、ＣＳＳ  ＥＰＤＣＣＨとＵＥＳＳ  ＥＰＤＣＣＨとの間で異なり得る（たとえば、異なる順序であり得る）。さらに、スクランブル／ランダム化は、ＣＳＳ  ＥＰＤＣＣＨとＵＥＳＳ  ＥＰＤＣＣＨとによって別様に行われ得る（たとえば、異なる順序、異なるセルＩＤ）。さらに、レートマッチングは、ＵＥＳＳ  ＥＰＤＣＣＨと比較して、ＣＳＳ  ＥＰＤＣＣＨによって別様に実行され得る。
【００６１】
[0065]  別の態様は、レートマッチングを扱うことを対象とする。ＣＳＳ  ＥＰＤＣＣＨは、ＵＥＳＳ  ＥＰＤＣＣＨよりも多くの保護を使用し得る。その結果、ＣＳＳ  ＥＰＤＣＣＨとＵＥＳＳ  ＥＰＤＣＣＨとは、異なるレートマッチングを有し得る。たとえば、一構成では、ＵＥＳＳ  ＥＰＤＣＣＨは、サービングセルＣＲＳの周りでレートマッチングするが、ＣＳＳ  ＥＰＤＣＣＨは、サービングＣＲＳのＣＲＳおよび近隣セルのＣＲＳの周りでレートマッチングする。極端な場合、ＣＲＳを含んでいる（１つまたは複数の）シンボル全体がＣＳＳ  ＥＰＤＣＣＨのための使用から除外され得る。
【００６２】
[0066]  図９に、ＥＰＤＣＣＨのための共通探索空間を管理するための方法９００を示す。ブロック９０２において、ＣＳＳ  ＥＰＤＣＣＨのための第１の仮想セルＩＤを判断する。ブロック９０４において、ＵＥＳＳ  ＥＰＤＣＣＨのための第２の仮想セルＩＤを判断する。ブロック９０６において、仮想セルＩＤに基づいてＥＰＤＣＣＨを処理する。
【００６３】
[0067]  一構成では、ＵＥ６５０は、ワイヤレス通信のために構成され、第１の仮想セルＩＤを判断するための手段と、第２の仮想セルＩＤを判断するための手段とを含む。一態様では、判断手段は、判断手段によって具陳された機能を実行するように構成されたコントローラ／プロセッサ６５９およびメモリ６６０であり得る。ＵＥ６５０はまた、ＥＰＤＣＣＨを処理するための手段を含むように構成される。一態様では、処理手段は、処理手段によって具陳された機能を実行するように構成されたメモリ６６０および／またはコントローラ／プロセッサ６５９であり得る。別の態様では、上述の手段は、上述の手段によって具陳された機能を実行するように構成された任意のモジュールまたは任意の装置であり得る。
【００６４】
[0068]  図１０は、処理システム１０１４を採用する装置１０００のためのハードウェア実装形態の一例を示す図である。処理システム１０１４は、バス１０２４によって概略的に表されるバスアーキテクチャを用いて実装され得る。バス１０２４は、処理システム１０１４の特定の適用例および全体的な設計制約に応じて、任意の数の相互接続バスおよびブリッジを含み得る。バス１０２４は、プロセッサ１００４、モジュール１０２２、１０１８、１０１６、およびコンピュータ可読媒体１００６によって表される１つまたは複数のプロセッサおよび／またはハードウェアモジュールを含む様々な回路を互いにリンクする。バス１０２４はまた、タイミングソース、周辺機器、電圧調整器、および電力管理回路など、様々な他の回路をリンクし得るが、これらは当技術分野においてよく知られており、したがって、これ以上説明しない。
【００６５】
[0069]  本装置は、トランシーバ１０１０に結合された処理システム１０１４を含む。トランシーバ１０１０は、１つまたは複数のアンテナ１０２０に結合される。トランシーバ１０１０は、伝送媒体を介して様々な他の装置と通信することを可能にする。処理システム１０１４は、コンピュータ可読媒体１００６に結合されたプロセッサ１００４を含む。プロセッサ１００４は、コンピュータ可読媒体１００６に記憶されたソフトウェアの実行を含む一般的な処理を担当する。ソフトウェアは、プロセッサ１００４によって実行されたとき、処理システム１０１４に、いずれかの特定の装置について説明した様々な機能を実行させる。コンピュータ可読媒体１００６はまた、ソフトウェアを実行するときにプロセッサ１００４によって操作されるデータを記憶するために使用され得る。
【００６６】
[0070]  処理システムは、第１の判断モジュール１０１６と第２の判断モジュール１０１８とを含む。第１の判断モジュールは、ＣＳＳ  ＥＰＤＣＣＨのための第１の仮想セルＩＤを判断することができる。第２の判断モジュールは、ＵＥＳＳ  ＥＰＤＣＣＨのための第２の仮想セルＩＤを判断することができる。処理システムはまた、仮想セルＩＤに基づいてＥＰＤＣＣＨを処理するためのＥＰＤＣＣＨ処理モジュール１０２２を含む。それらのモジュールは、プロセッサ１００４中で動作するか、コンピュータ可読媒体１００６中に常駐する／記憶されたソフトウェアモジュールであるか、プロセッサ１００４に結合された１つまたは複数のハードウェアモジュールであるか、またはそれらの何らかの組合せであり得る。処理システム１０１４は、ＵＥ６５０の構成要素であり得、メモリ６６０および／またはコントローラ／プロセッサ６５９を含み得る。
【００６７】
[0071]  さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００６８】
[0072]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６９】
[0073]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００７０】
[0074]  １つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７１】
[0075]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015512586.tif 000003
【図２】
2015512586.tif 000004
【図３】
2015512586.tif 000005
【図４】
2015512586.tif 000006
【図５】
2015512586.tif 000007
【図６】
2015512586.tif 000008
【図７】
2015512586.tif 000009
【図８】
2015512586.tif 000010
【図９】
2015512586.tif 000011
【図１０】
2015512586.tif 000012
【国際調査報告】
2015512586.tif 000013
2015512586.tif 000014
2015512586.tif 000015